(57)【要約】【課題】湯気を顔の周りに集中させることを考慮し、簡単な構成のキャップで毛穴を広げて発汗作用を促し、皮脂や老廃物を流し出し、肌に新陳代謝を与えて肌を美麗に保つことのできるキャップを提供することを目的とするものである。【解決手段】キャップ部２とその周辺に幅広な状態で連設するつば部３とからなるキャップ本体１は内層４と表層５との二重構造であり、内層４は防水性を有するしている。  また、後頭部に面するつば部３の後ろ側は切り欠いて拡開可能であり、キャップ部２のみはは通気性を有する材質で構成することができる。。【選択図】図１
0003148677.tif 000002
【実用新案登録請求の範囲】
【請求項１】
キャップ部２とその周囲に幅広な状態で連設するつば部３とからなるキャップ本体１は内層４と表層５とで形成され、内層４は防水性を有することを特徴とする入浴用キャップ。
【請求項２】
後頭部に面するつば部３には先端からキャップ部２にかけて切り込み８を形成したことを特徴とする請求項１に記載する入浴用キャップ。
【請求項３】
通気性を有するキャップ部２と、その周辺に幅広な状態で連設するつば部３は内層４と表層５とで形成され、内層４は防水性を有することを特徴とする入浴用キャップ。
【考案の詳細な説明】
【技術分野】
【０００１】
本考案は入浴用キャップに関し、特に、入浴に際し浴槽から発生する湯気を顔や首筋の周辺に集め、発汗作用により不純物を除去して美肌効果を得ることのできる入浴用キャップに関するものである。
【背景技術】
【０００２】
従来、女性は、洗顔クリームを使用して肌を綺麗にし、種々の化粧品を顔に塗ったり、マッサージを施して顔の肌を美しく保つようにしている。しかし、このような外的な手入れも大切ではあるが、肌に新陳代謝を起こさせ、内的な処置をして肌を美しくすることも重要である。
【０００３】
このため、従来は、入浴に際して頭にキャップを被り、浴槽の湯気を顔面に集中させて毛穴を広げ、皮脂や老廃物を流し出し、美肌効果を高めることが行われている。例えば、特開２００４−１９０８５の入浴用帽子や実用新案登録第３１１３４５４号の入浴用キャップ等で具体的な技術が提供されている。
【特許文献１】特開２００４−１９０８５公報
【特許文献２】実用新案登録第３１１３４５４号公報
【考案の開示】
【考案が解決しようとする課題】
【０００４】
上記する各刊行物に記載された先行技術は、入浴時に頭に被り、湯気を顔の周辺に集めて発汗作用により老廃物を取り去り、美肌効果を高めると言う共通性はあるが、いずれも構造的に複雑であり、製作工程が多く、製品として販売する場合には高価なものとなる問題点を有している。
【０００５】
本考案入浴用キャップは、湯気を顔の周りに集中させることを考慮し、簡単な構成のキャップで毛穴を広げて発汗作用を促し、皮脂や老廃物を流し出し、肌に新陳代謝を与えて肌を美麗に保つことのできるキャップを提供することを目的とするものである。
【課題を解決するための手段】
【０００６】
上記の目的を達成するために本考案スチーム用キャップは、キャップ部２とその周辺に幅広な状態で連設するつば部３とからなるキャップ本体１は内層４と表層５とで形成され、内層４は防水性を有することを特徴とするものである。そして、つば部３の後頭部側は先端からキャップ部２にかけて切り込み８を形成したものである。
【０００７】
通気性を有するキャップ部２と、その周辺に幅広な状態で連設するつば部３は内層４と表層５とで形成され、内層４は防水性を有するものである。
【考案の効果】
【０００８】
本考案キャップによれば、入浴時に頭に被ることで浴槽６内に発生した湯気がつば部３内に集中し、顔が湯気で暖められ、毛穴が開いて発汗作用が働くので皮脂や老廃物が流れ出し、肌に新陳代謝が働いて肌を健康で美しく保つ効果がある。結果として顔を引き締めるので、肌のたるみをなくすように働き、同時に顎の周囲にも同じ作用が働くので、下顎の肌のたるみを引き締める効果がある。
【０００９】
キャップ部２の下端周囲を覆うつば部３の後ろ側をＶ字状に開いておけば、頭部を浴槽６の縁６ａに載せリラックスした状態で入浴を楽しむ時、つば部３が邪魔にならず、キャップ本体１は位置ずれを起こすことなく安定したものとなる。
【００１０】
キャップ部２のみを通気性を有する生地で作成しておけば、長時間入浴する際でも湯気の一部はキャップ部２を通して外部に逃げるので息苦しさを感じることはなく、湯気は常に発生しているのでつば部に集中し発汗作用に支障を生ずることはない。
【考案を実施するための最良の形態】
【００１１】
以下、図面に従って本考案の一実施形態を詳細に説明する。
図１は、本考案入浴用キャップの一部を破断して全体を斜めから見た状態を示し、符号１により示すキャップ本体は、キャップ部２とつば部３とからなり、これらは内側の内層４とその表面を覆う表層５との二層構造で形成されている。
【００１２】
キャップ部２は、頭に直接被せる部分であり、その周りに幅広く連設するつば部３は浴槽で発生した湯気を顔の周辺に集める機能を有している。直接に湯気があたる内側の内層４は、浴槽から上昇する湯気を逃がさず顔の周辺に漂わせるものであり、断熱用として使用されるシルバーナイロン生地や通常のナイロン、ポリエステル、ポリエチレン等の一般的に市販されている防水材を使用することができる。
【００１３】
また、表層５は、キャップ本体１を見栄えよく仕上げ、入浴を楽しくするものであり、各種の色彩や模様、図柄等を施した装飾性を有する生地からなる。しかし、湯気を吸引すると全体が重くなり、扱いにくくなるので、表層５としてはナイロンやポリエステル等の防水性を有する生地により作成することもでき、装飾を施すことも可能である。
【００１４】
或いは、最初から軽くする目的で表層５全体は防水性を有するメッシュ生地であってもよい。メッシュ性の表層５とした場合には、内層４の表面に各種の装飾を施せばよく、網目部分を通して装飾が外部に表れることになる。
【００１５】
本考案入浴用キャップは上記の構成を有し、次に、使用状態について説明する。
図２に示すように、入浴時に本考案キャップを頭に被り、浴槽６に入った後、浴槽６上に蓋７をかぶせ、蓋７をできるだけ手前に引き寄せて浴槽６の空間を狭め、湯気が上昇する空間をできるだけ限られた空間とする。
【００１６】
この状態で頭に被ったキャップ本体１のつば部３前方を蓋７上に載せ、かつ、つば部３の後方（後頭部側）を浴槽６の縁６ａに載せてつば部３を顔の周りにやや円錐状に広げた状態とする。
【００１７】
浴槽６で発生した湯気は限られた空間を上昇し、内層４で捉えられて顔の周りに充満し、肌を暖めることになる。内層４は防水性を有するので湯気を吸収することなく顔の周りに漂わせることができる。
【００１８】
入浴中、身体全体が暖められて血行が促進され、同時に顔も湯気に暖められて顔中の毛穴が開いて発汗作用が働き、皮脂や老廃物等の不純物が流れ出し、肌の新陳代謝を促進することになる。その結果、肌から不純物が取り除かれるので、肌を調整し美肌効果を得ることができる。
【００１９】
つば部３は蓋７や縁６ａで支えられているが、湯気を効率よく捉えるためにつば部３は広げた状態を維持することが望ましい。このため、内層４を厚めにするか、少し硬めの材質としておく。或いは、キャップ部１の周辺からからつば部２先端にかけて複数本の硬い線材を放射状に張設し、つば部２を支えるようにしてもよい。
【００２０】
上記において浴槽６に蓋７をかぶせて使用する場合を説明したが、蓋７をかぶせ浴槽６の開口部を狭くすることで湯気の流れをキャップ本体１のほうに誘導することができるものであり、蓋７を外した状態でキャップ本体１を頭に被るだけでも湯気を顔に集中させることは可能である。
【００２１】
次に、キャップ本体１の製作について説明する。
キャップ部２とつば部３は、内層４と表層５を使用して一体に形成することは可能である。または、内層４と表層５とを一体的に縫製或いは接着して形成したキャップ部２とつば部３とを別体に形成し、その後、キャップ部２とつば部３とを縫製或いは接着加工してキャップ本体１を形成する。尚、つば部３の後ろ側は、前面側よりも幅を狭くしてもよい。
【００２２】
次に本考案キャップ本体１の他の実施形態について説明する。
ぬるい湯に長く入っていることが効果的であるが、そのためには頭部を浴槽６の縁６ａに載せておくとリラックスした状態となり、肉体的にも気分的にも楽である。しかし、つば部３の後頭部に面する部分が張り出しているので、邪魔になってキャップ全体がゆがむ恐れがある。
【００２３】
このため、後頭部に面するつば部３の後ろ側に、図３に示すように、つば部３の先端からキャップ部２にかけて切り込み８形成しておく。このようにすれば、頭部を縁６ａ上に載せた時、つば部３は切り込み８から横方向へＶ字状に開くので、つば部３は邪魔にならず、キャップ本体１も安定して長い間入浴することができる。或いは、キャップ３の後頭部側をあらかじめＶ字状に切り開いてもよい。
【００２４】
また、長い間入浴していると、湯気が逃げることなく常に顔の周りに充満しているので、人によっては息苦しくなることがある。このため、キャップ部２のみは通気性を有する生地を単層として使用すれば、頭部との隙間から湯気の一部は流出するので少しは楽な状態となる。
湯気の一部が流出しても浴槽６から常に新しい湯気が発生しているので、発汗作用に支障を生ずることはない。
【産業上の利用可能性】
【００２５】
キャップを被って入浴するだけで顔が発汗し、顔の肌を健康的で美しく保つことができ、いわゆる化粧のりをよくすることができ、特に、女性には最適なキャップである。
【図面の簡単な説明】
【００２６】
【図１】本考案キャップ本体の一部を破断した斜視図である。
【図２】本考案キャップ本体を被って入浴する状態の一部を断面とした側面図である。
【図３】本考案キャップ本体の他の実施形態の斜視図である。
【符号の説明】
【００２７】
１  キャップ本体
２  キャップ部
３  つば部
４  内層
５  表層
６  浴槽
６ａ  浴槽の縁
７  浴槽の蓋
【図１】
0003148677.tif 000003
【図２】
0003148677.tif 000004
【図３】
0003148677.tif 000005